(57)【要約】      （修正有）【課題】緊急時に針に糸を通すことに難儀することなく、素早く応急処置にとりかかれるソーイング・セットを提供する。【解決手段】糸巻き、カッター１７が組み込まれている糸巻き、又は、ボタン２０、ホック１９、糸通し１８、安全ピン、はさみ、マチ針、予め糸が通されていない裁縫用の針、予め糸が通されている針の長さよりも薄い裁縫用道具を固定するためのスペース１６が、一枚の板状に並設されている糸巻きに、予め糸を通した状態の裁縫用の針が巻回及び配置されている。【選択図】図１
0003227202.tif 000002
【実用新案登録請求の範囲】
【請求項１】
予め針に糸を通した状態にすることで、より素早い処置と、従来の裁縫道具のシステム化も含む利便性の向上や価値の付加、さらに大型化し糸巻きを回転型にするなどすれば、回収型にするにせよ買い取り型にするにせよ、それを設置したコンビニエンスストアやネットカフェ等での緊急裁縫道具のレンタル・サービス（緊急裁縫道具のシェアリング）をも可能にすることを特徴とする、裁縫道具（ソーイング・セット、ソーイング・ツール、ソーイング・キット、エマージェンシー・ツール、サバイバル・キット、便利グッズ）。
【請求項２】
複数の予め糸を通した針をからまないように配置することで、より素早い処置と、選択肢の多様化、従来の裁縫道具のシステム化も含む利便性の向上や価値の付加、さらに大型化し糸巻きを回転型にするなどすれば、回収型にするにせよ買い取り型にするにせよ、それを設置したコンビニエンスストアやネットカフェ等での緊急裁縫道具のレンタル・サービス（緊急裁縫道具のシェアリング）をも可能にすることを特徴とする、薄型（カード型）化も、裁縫箱の整理整頓用ツール化も可能な裁縫道具（ソーイング・セット、ソーイング・ツール、ソーイング・キット、エマージェンシー・ツール、サバイバル・キット、便利グッズ）。
【請求項３】
薄型（カード型）にすることで、より高い携帯性と、従来の裁縫道具のシステム化も含む利便性の向上や価値の付加を可能にすることを特徴とする、裁縫道具（ソーイング・セット、ソーイング・ツール、ソーイング・キット、エマージェンシー・ツール、サバイバル・キット、便利グッズ）。
【考案の詳細な説明】
【技術分野】
【０００１】  本考案は、ソーイング・セットの薄型（カード型）化も、裁縫箱の整理整頓用ツール化も可能な裁縫道具（ソーイング・セット、ソーイング・ツール、ソーイング・キット、エマージェンシー・ツール、サバイバル・キット、便利グッズ）に関するものである。
【背景技術】
【０００２】  図２のように、従来型のソーイング・セットやサバイバル・キット内のソーイング・セットは、予め針に糸が通されていない。
それ故に、緊急時での利用が想定されていながら、緊急時にストレスを強化してしまう、という欠点がある。
明るさが十分にない、眼鏡がない、雨で糸や針が濡れてしまっている、寒さで手がかじかんでいる、風が吹いている、等々。針に糸を通すことに難儀するのが緊急時である。それ故、せっかくソーイング・セットを携帯していながら、その所有者が緊急時に針に糸を通すことに難儀し、応急措置を見送ってしまった、というケースもある。【０００３】  また、緊急時に素早く取り出して応急処置にとかかれるにすべく、購入後に所有者が予め糸が通された状態に変えようにも、一枚の基盤（台座、パレット、基礎板）にセッティングする限り、図３のように３組み以上になると、からまりの原因となる干渉を惹起させてしまう。【０００４】  さらに、携帯性をより高められる薄型（カード型）化、及び利便性をより高められるシステム化されたソーイング・セットはない。
【考案の概要】
【考案が解決しようとする課題】
【０００５】  解決しようとする問題点は、緊急時であればある程針に糸を通すことに難儀し、それ故緊急時に素早く応急処置にとかかれない点である。【０００６】  複数の予め糸が通された針を一枚の基盤（台座、パレット、基礎板）にセッティングすると、図３のように従来物ではからまりの原因となる干渉の惹起を防止することが不可能である点である。【０００７】  従来のソーイング・セットには携帯性をより高められる余地がある点である。
【課題を解決するための手段】
【０００８】  予め針に糸を通した状態にしておくことを特徴とし、所有者が針に糸を通すという工程を経ずに応急措置にとかかれるようにすることで素早い裁縫分野の補修のサポートを実現する。【０００９】  針を固定するためスペース（図５の６で、複数考えられる固定方法についての説明は後述の符号の説明６、７、８、９、１０、１１、１２、１３、１４、１５に譲る）、それと隣接させた一箇所、ないし二箇所の糸の先端と末端を固定するための切れ込み（図５の４）（但し、図２９、図３０、図３１のように、回転型の糸巻きに巻かれた糸を用いるタイプの場合は、先端を固定するための切れ込みを用意するだけで十分である）、同様に隣接させた（針の固定位置から糸の先端と末端の固定位置までの距離の長さよりも長い糸、それを用いる場合にからまり原因となる干渉の惹起を防止するために必要になる）糸を巻きつけながら固定するための仕掛け（＝糸巻き＝糸の干渉を防ぐための仕切りであり、二次元的である本件の場合は溝）（図５の５）、この４点から構成される固定装置をモジュール化することによって、複数の予め針に糸を通した状態の針を一枚の基盤（台座、パレット、基礎板）にセッティングしながらもからまりの原因となる干渉の惹起の防止を実現する。【００１０】  薄型（カード型）化とシステム化を特徴とし、本考案の請求項１や本考案の請求項２の取り込みを可能にすることでより一層の携帯性と利便性の向上を実現する。
【考案の効果】
【００１１】  素早く応急処置にとかかれる。所有者が針に糸を通すという工程を経ずに応急措置にとかかれる。【００１２】  従来の裁縫道具のシステム化も含む利便性の向上や価値の付加に寄与する。【００１３】  大型化し糸巻きを回転型にするなどすれば、緊急裁縫道具のレンタル・サービス（緊急裁縫道具のシェアリング）を可能にする。【００１４】  複数の予め糸が通された針を一枚の基盤（台座、パレット、基礎板）にセッティングしながらも、からまりの原因となる干渉の惹起の防止を可能にする。これは選択肢の拡張に寄与する。【００１５】  携帯に向いていない大型の縫道具箱内の整理整頓用ツールにもなる。とりわけ針山の整理に寄与する。【００１６】  便利グッズ）の自作支援ツールにもなる。【００１７】  簡易型ハード・ケース側は一種類でも、予め糸が通された針のセッティング可能数や針、糸以外のセッティング可能道具種類と相関する基盤（台座、パレット、基礎板）の形状、選択される針の種類、糸の種類を変えるだけで、多様なニーズに応じられる薄型（カード型）のソーイング・セットを提供可能にする。
【図面の簡単な説明】
【００１８】
【図１】予め糸が通された針を、一枚の基盤（台座、パレット、基礎板）に複数組みセッティングしながらも、からまりの原因となる干渉の惹起の防止をも可能にするモジュールを用いた、カード型化も、裁縫箱の整理整用ツール化も可能な小型裁縫道具（ソーイング・セット）の配置図。（実施例４）
【図２】従来型の糸巻きに針をセッティングした場合の配置図。
【図３】従来型の糸巻きに予め糸が通された針をセッティングした場合の配置図。（実施例２）
【図４】針と糸の符号の説明をするための図。
【図５】予め糸が通された針を、一枚の基盤（台座、パレット、基礎板）に複数組みセッティングしながらも、からまりの原因となる干渉の惹起の防止をも可能にするモジュール（本件モジュール）の、基本的なパターン図。（実施例１）
【図６】針を固定するためスペースと、針を固定するための機構の基本的なパターンの側面図的な概念図。
【図７】本件モジュールに、予め糸が通された針をセッティングした場合の配置図。（実施例１）
【図８】磁石を用いた針固定機構を選択した本件モジュール、それを２倍にした一枚の基盤（台座、パレット、基礎板）に、予め糸が通された針をセッティングした場合の配置図。（実施例１４）
【図９】基盤（台座、パレット、基礎板）にもうけられた溝と、台座に巻きつけられた糸針固定機構を選択した本件モジュール、それを２倍にした一枚の基盤（台座、パレット、基礎板）に、予め糸が通された針をセッティングした場合の配置図。（実施例１５）
【図１０】基盤（台座、パレット、基礎板）に貼りつけられたラバーやラバーのようなクッション性と吸着性を有する物質と、台座に巻きつけられた糸を用いた針固定機構を選択した本件モジュール、それを２倍にした一枚の基盤（台座、パレット、基礎板）に、予め糸が通された針をセッティングした場合の配置図。（実施例１６）
【図１１】磁石を用いた針固定機構を選択した本件モジュール、それを４倍にした一枚の基盤（台座、パレット、基礎板）に、予め糸が通された針をセッティングした場合の配置図。（実施例３）
【図１２】基盤（台座、パレット、基礎板）にもうけられた溝と、台座に巻きつけられた糸を用いた針固定機構を選択した本件モジュール、それを４倍にした一枚の基盤（台座、パレット、基礎板）に、予め糸が通された針をセッティングした場合の配置図。（実施例１７）
【図１３】基盤（台座、パレット、基礎板）に貼りつけられたラバーやラバーのようなクッション性と吸着性を有する物質と、台座に巻きつけられた糸を用いた針固定機構を選択した本件モジュール、それを４倍にした一枚の基盤（台座、パレット、基礎板）に、予め糸が通された針をセッティングした場合の配置図。（実施例１８）
【図１４】基盤（台座、パレット、基礎板）や収容ケースの短辺よりも長い針を用いる場合の、磁石を用いた針固定機構を選択した場合の本件モジュールの配置図。（実施例１９）
【図１５】基盤（台座、パレット、基礎板）や収容ケースの短辺よりも長い針を用いる場合の、基盤（台座、パレット、基礎板）にもうけられた溝と、台座に巻きつけられた糸針固定機構を選択した場合の本件モジュールの配置図。（実施例２０）
【図１６】基盤（台座、パレット、基礎板）や収容ケースの短辺よりも長い針を用いる場合の、基盤（台座、パレット、基礎板）にもうけられた溝と、台座に巻きつけられた糸針固定機構を選択した場合の本件モジュールの配置図。（実施例２１）
【図１７】図１（実施例４）の基盤（台座、パレット、基礎板）の平面図。（実施例４）
【図１８】図１（実施例４）の機能性を維持しながら、基盤（台座、パレット、基礎板）や収容ケースの短辺よりも長い針を用いる場合の配置図。（実施例５）
【図１９】本件モジュールの原初型を用い且つ、基盤（台座、パレット、基礎板）や収容ケースの短辺よりも長い針を用いる場合の１実施例の配置図。（実施例６）
【図２０】引き出し化が可能な道具に関しては引き出し化し、引き出し化が可能な道具に関しては引き出しをつけることで、実施例３のような基盤（台座、パレット、基礎板）を用いずにソーイング・セットの薄型（カード型）化を追求した場合の配置図。（実施例７）
【図２１】図２０（実施例７）に本件モジュールを組み込んだ場合の１実施例の配置図。（実施例８）
【図２２】図２０（実施例７）に本件モジュールを組み込んだ場合の１実施例の配置図。（実施例２２）
【図２３】図２０（実施例７）に本件モジュールを組み込んだ場合の１実施例の配置図。（実施例２３）
【図２４】本件モジュールに予備の針と予備の糸を組み込んだだけの、従来型と本件の折中案のような１実施例の配置図。（実施例９）
【図２５】本件モジュールに予備の針と予備の糸を組み込んだだけの、従来型と本件の折中案のような１実施例の配置図。（実施例２４）
【図２６】本件基盤（台座、パレット、基礎板）それ自体を引き出し化し、道具の散逸も防止可能にする簡易型ハード・ケースに関する立面図的な概念図。（実施例１０）
【図２７】図２０（実施例７）の立面図的な概念図。
【図２８】図２１（実施例８）、図２２（実施例２２）、図２３（実施例２３）の立面図的な概念図。
【図２９】コンビニエンスストアやネットカフェ等での緊急裁縫道具のレンタル・サービス（緊急裁縫道具のシェアリング）をも可能にすること等を目的に大型化した本件モジュールの１実施例の配置図（糸巻きの回転面に対し平行タイプ）。（実施例１１）
【図３０】コンビニエンスストアやネットカフェ等での緊急裁縫道具のレンタル・サービス（緊急裁縫道具のシェアリング）をも可能にすること等を目的に大型化した本件モジュールの１実施例の配置図（糸巻きの回転面に対し垂直タイプ）。（実施例１２）
【図３１】コンビニエンスストアやネットカフェ等での緊急裁縫道具のレンタル・サービス（緊急裁縫道具のシェアリング）をも可能にすること等を目的に大型化した本件モジュールの１実施例の配置図（糸巻きの側面に本件モジュールを組み込んだタイプで、予め糸が通された針の固定装置が軸と糸巻きのもう一方の固定装置の役割を果たしているタイプ）。（実施例１３）
【考案を実施するための形態】
【００１９】  予め糸が通された針を、一枚の基盤（台座、パレット、基礎板）に複数組みセッティングしながらも、からまりの原因となる干渉の惹起の防止を可能にする最小単位を発見することで、モジュール化を可能にし、延いては一枚の基盤（台座、パレット、基礎板）で多様な組み合わせを可能にする。
【実施例１】
【００２０】  図５は本考案の要となる１実施例である。予め糸が通された針を、一枚の基盤（台座、パレット、基礎板）に複数組みセッティングしながらも、からまりの原因となる干渉の惹起の防止を可能にするモジュール（以降、本件モジュールと略す）でもある。
１点目、針を固定するためスペース（図５の６で、複数考えられる固定方法についての説明は後述の符号の説明６、７、８、９、１０、１１、１２、１３、１４、１５に譲る）。２点目、それと隣接させた一箇所、ないし二箇所の糸の先端と末端を固定するための切れ込み（図５の４）（但し、図２９、図３０、図３１のように、回転型の糸巻きに巻かれた糸を用いるタイプの場合は、先端を固定するための切れ込みを用意するだけで十分である）。３点目、同様に隣接させた（針の固定位置から糸の先端と末端の固定位置までの距離の長さよりも長い糸、それを用いる場合にからまり原因となる干渉の惹起を防止するために必要になる）糸を巻きつけながら固定するための仕掛け（＝糸巻き＝糸の干渉を防ぐための仕切りであり、二次元的である本件の場合は溝）（図５の５）。４点目、基盤（台座、パレット、基礎板）。この４点から本件モジュールは構成される。図５で示されているのは３パターンであるが、どれもこの４点から構成されている。
因みにこれは、三次元化（ビルディング化、階層化）する場合にも通用する。
【実施例２】
【００２１】  図３は、従来物の１例である図２に予め糸が通された針を複数組みセッティングした１実施例である。
どれほど糸を巻きつけながら固定するための窪みを増やしても、どれほど工夫しても、からまりの原因となる干渉の惹起の防止が可能になる組み数が２組み以下であることも示すものである。それとて、場合によっては巻きつけられた全ての糸の先端と末端を、それらを固定するための切れ込み（符号４）から外さなければならなくなるという、本考案では不要な工程を増やしてしまう可能性を抱えているが。
【実施例３】
【００２２】  図８、図９、図１０、図１２、図１３、図１４、図１５、図１６もそうであるが、図１１は、本件モジュール（図５）を単純増設した一枚の基盤（台座、パレット、基礎板）に予め糸が通された針をセッティングした１実施例であり、一枚の基盤（台座、パレット、基礎板）に予め糸が通された針を３組以上セッティングしながらも、からまりの原因となる干渉の惹起の防止を可能にしていることを示すものでもある。
本件モジュールを利用しているかいないかの違い、それが図８、図９、図１０、図１１、図１２、図１３、図１４、図１５、図１６（本考案）と、図３（従来物）の違いである。
【実施例４】
【００２３】  図１８図、１９図もそうであるが、図１は、さらに、ボタン、ホック、糸通し、安全ピン、マチ針、（予め糸が通されてはいない）予備の針や種類の異なる針、等々の道具を固定するためのスペースや、糸を切断するための小型カッターを組み込んだ１実施例であり、図１７は図１の基盤（台座、パレット、基礎板）の平面図である。
図１や図１８図、１９図は、図８、図９、図１０、図１１、図１２、図１３、図１４、図１５、図１６のようなモジュールの単純増設型と比べれば、ソーイング・セットのカード型化に向いている。複数の基盤（台座、パレット、基礎板）から構成されていることが多い故、図１や図１８と比べれば、図８、図９、図１０、図１１、図１２、図１３、図１４、図１５、図１６は従来型のソーイング・セットに向いている。
【実施例５】
【００２４】  図１８は、図１（実施例４）の機能性を維持しながら、基盤（台座、パレット、基礎板）や収容ケースの短辺よりも長い針を用いる場合の１実施例である。
【実施例６】
【００２５】  図１９は、図１８と同様に基盤（台座、パレット、基礎板）や収容ケースの短辺よりも長い針を用いる場合の１実施例であり、本件モジュールの原初型が利用されている。
【実施例７】
【００２６】  図２１、図２２、図２３もそうであるが、図２０は、引き出し化が可能な道具に関しては引き出し化し、引き出し化が不可能な道具に関しては引き出しをつけることで、実施例１のような基盤（台座、パレット、基礎板）を用いずにソーイング・セットの薄型（カード型）化を追求した場合の１実施例である。
【実施例８】
【００２７】  図２２、図２３もそうであるが、図２１は、図２０（実施例７）に本件モジュールを組み込んだ１実施例である。
【実施例９】
【００２８】  図２４や図２５は、本件モジュールに予備の針と予備の糸を組み込んだだけの、従来型と本件の折中案のような１実施例である。
【実施例１０】
【００２９】  図２６は、簡易型ハード・ケース側は一種類でも、予め糸が通された針のセッティング可能数や針、糸以外のセッティング可能道具種類と相関する基盤（台座、パレット、基礎板）の形状、選択される針の種類、糸の種類を変えただけで、多様なニーズに応じられる薄型（カード型）のソーイング・セットを提供可能にすることを示すものである。
基盤（台座、パレット、基礎板）が長方形で、糸、針等の道具がスライド面にはみ出ておらず、且つ、糸、針等の道具の高さが所定の制限内であれば、簡易型ハード・ケースでカード型化が可能であることを示すものでもある。
【実施例１１】
【００３０】  図３０、図３１もそうであるが、図２９は、コンビニエンスストアやネットカフェ等での緊急裁縫道具のレンタル・サービス（緊急裁縫道具のシェアリング）をも可能にする等の目的から、本件モジュールを大型化し且つ、糸巻きを回転型化した１実施例である。
【産業上の利用可能性】
【００３１】  からまりの原因となる干渉の惹起の防止をも可能にするモジュール化された予め糸が通された針の固定装置、それを用いた基盤（台座、パレット、基礎板）、それに合わせたケースを量産するだけで、従来の商品に付加価値を与えることも可能になる。【００３２】  さらに、簡易型ハード・ケース側は一種類でも、予め糸が通された針のセッティング可能数や針、糸以外のセッティング可能道具種類と相関する基盤（台座、パレット、基礎板）の形状、選択される針の種類、糸の種類を変えるだけで、多様なニーズに応じられる薄型（カード型）のソーイング・セットを提供することも可能になる。【００３３】  大型化し糸巻きを回転型にするなどすれば、回収型にするにせよ買い取り型にするにせよ、それを設置したコンビニエンスストアやネットカフェ等での緊急裁縫道具のレンタル・サービス（緊急裁縫道具のシェアリング）の提供をも可能にする。
【符号の説明】
【００３４】  １  針
２  糸
３  基盤（台座、パレット、基礎板）
４  糸の先端と末端を固定するための切れ込み
５  （針の固定位置から糸の先端と末端の固定位置までの距離の長さよりも長い糸、それを用いる場合にからまりを防ぐためには必要になる）糸を巻きつけながら固定するための仕掛け（＝糸巻き＝糸の干渉を防ぐための仕切りであり、二次元的である本件の場合は溝）
６  針を固定するためスペース
７  針を固定するための機構、例えば磁石
８  針を固定するための機構、例えばゴム
９  針を固定するための機構、例えば発泡素材
１０  針を固定するための機構、例えば粘着テープ
１１  針を固定するための機構、例えば立体形成された合成樹脂製の基盤（台座、パレット、基礎板）にもうけられた摩擦力でのみ固定することができる大きさの穴、または溝
１２  針を固定するための機構、例えば軟質性合成樹脂と硬質性合成樹脂から構成される基盤（台座、パレット、基礎板）もうけられた摩擦力でのみ固定することができる大きさの穴、または溝
１３  針を固定するための機構、例えば厚紙製の基盤（台座、パレット、基礎板）にもうけられた摩擦力でのみ固定することができる大きさの穴、または溝
１４  針を固定するための機構、例えば基盤（台座、パレット、基礎板）にもうけられた溝と、台座に巻きつけられた糸
１５  針を固定するための機構、例えば基盤（台座、パレット、基礎板）に貼りつけられたラバーやラバーのようなクッション性と吸着性を有する物質と、台座に巻きつけられた糸
１６  ボタン、ホック、糸通し、安全ピン、はさみ、マチ針、（予め糸が通されてはいない）予備の針や種類の異なる針等々、針の長さに比べれば高さ（厚さ）が小さい道具を固定するためのスペース
１７  糸を切断するための小型カッター
１８  糸通し
１９  ホック
２０  ボタン
２１  はさみ
２２  ライト
２３  糸巻き
２４  ボールペン
２５  つまようじ
２６  ピンセット
２７  紐通し
２８  耳かき
２９  精密ドライバー
３０  ナイフ
３１  簡易型ハード・ケース
３２  糸の固定に寄与するスリット
【図１】
0003227202.tif 000003
【図２】
0003227202.tif 000004
【図３】
0003227202.tif 000005
【図４】
0003227202.tif 000006
【図５】
0003227202.tif 000007
【図６】
0003227202.tif 000008
【図７】
0003227202.tif 000009
【図８】
0003227202.tif 000010
【図９】
0003227202.tif 000011
【図１０】
0003227202.tif 000012
【図１１】
0003227202.tif 000013
【図１２】
0003227202.tif 000014
【図１３】
0003227202.tif 000015
【図１４】
0003227202.tif 000016
【図１５】
0003227202.tif 000017
【図１６】
0003227202.tif 000018
【図１７】
0003227202.tif 000019
【図１８】
0003227202.tif 000020
【図１９】
0003227202.tif 000021
【図２０】
0003227202.tif 000022
【図２１】
0003227202.tif 000023
【図２２】
0003227202.tif 000024
【図２３】
0003227202.tif 000025
【図２４】
0003227202.tif 000026
【図２５】
0003227202.tif 000027
【図２６】
0003227202.tif 000028
【図２７】
0003227202.tif 000029
【図２８】
0003227202.tif 000030
【図２９】
0003227202.tif 000031
【図３０】
0003227202.tif 000032
【図３１】
0003227202.tif 000033
【手続補正書】
【提出日】令和1年8月31日(2019.8.31)
【手続補正１】
【補正対象書類名】明細書
【補正対象項目名】全文
【補正方法】変更
【補正の内容】
【考案の詳細な説明】
【技術分野】
【０００１】  本考案は、（１）ソーイング・セットの薄型（カード型）化も、（１）裁縫箱の整理整頓用ツール化も、両方同時に実現できる裁縫道具（ソーイング・セット、ソーイング・ツール、ソーイング・キット、エマージェンシー・ツール、サバイバル・キット、便利グッズ）に関するものである。
【背景技術】
【０００２】  図２のように、従来型のソーイング・セットやサバイバル・キット内のソーイング・セットにおいては、予め針に糸が通されていない。
それ故に、緊急時での利用が想定されていながら、緊急時にストレスを強化する、このような欠点がある。
（１）明るさが十分にない、（２）眼鏡がない、（３）雨で糸や針が濡れてしまっている、（４）寒さで手がかじかんでいる、（５）風が吹いている、等々。針に糸を通すことに難儀するのが緊急時である。それ故、せっかくソーイング・セットを携帯していながら、その所有者が緊急時に針に糸を通すことに難儀し、応急措置を見送ってしまった、このようなケースもある。【０００３】  また、緊急時に素早く取り出して応急処置にとかかるために、購入後に所有者が予め糸が通された状態に変えようにも、一枚の基盤（台座、パレット、基礎板）にセッティングする限り、図３のように、３組み以上になると、からまりの原因となる干渉が惹起される。【０００４】  さらに、携帯性をより高められる薄型（カード型）化、及び利便性をより高められるシステム化されたソーイング・セットはない。
【考案の概要】
【考案が解決しようとする課題】
【０００５】  解決しようとする問題点は、緊急時であればある程針に糸を通すことに難儀し、それ故緊急時に素早く応急処置にとかかれない点である。【０００６】  複数の予め糸が通された針を一枚の基盤（台座、パレット、基礎板）にセッティングすると、図３のように従来物ではからまりの原因となる干渉の惹起を防止できない点である。【０００７】  従来のソーイング・セットには携帯性をより高められる余地がある点である。
【課題を解決するための手段】
【０００８】  予め針に糸を通した状態にしておくことを特徴とし、所有者が針に糸を通す、この工程を経ずに応急措置にとかかれる状態にすることによって、素早い裁縫分野の補修のサポートを実現する。【０００９】（１）針を固定するためスペース、（２）針の固定機構（装置）（図５の６で、複数考えられる固定方法についての説明は後述の符号の説明６、７、８、９、１０、１１、１２、１３、１４、１５に譲る）、（３）それと隣接させた一箇所、ないし二箇所の糸の先端と末端を固定するための切れ込み（図５の４）（但し、図２９、図３０、図３１のように、回転型の糸巻きに巻かれた糸を用いるタイプの場合は、先端を固定するための切れ込みを用意するだけで十分である）、（４）同様に隣接させた（針の固定位置から糸の先端と末端の固定位置までの距離の長さよりも長い糸、それを用いる場合にからまりの原因となる干渉の惹起を防止するために必要になる）糸を巻きつけながら固定するための仕掛け（＝糸巻き＝糸の干渉を防ぐための仕切りであり、二次元的である本件の場合は溝（窪み））（図５の５）、この４点から構成される固定装置（機構）をモジュール化することによって、複数の予め針に糸を通した状態の針を一枚の基盤（台座、パレット、基礎板）にセッティングしながらもからまりの原因となる干渉の惹起の防止を実現する。【００１０】  薄型（カード型）化とシステム化を特徴とし、本発明の請求項１や本発明の請求項２の取り込むことによってより一層の携帯性と利便性の向上を実現する。
【考案の効果】
【００１１】  素早く応急処置にとかかれる。所有者が針に糸を通す、この工程を経ずに応急措置にとかかれる。【００１２】  従来の裁縫道具のシステム化が進むこともあり、従来の裁縫道具の利便性が向上し、従来の裁縫道具の価値が向上する。【００１３】  大型化し糸巻きを回転型にするなどすれば、緊急裁縫道具のレンタル・サービス（緊急裁縫道具のシェアリング）を提供できる。【００１４】  複数の予め糸が通された針を一枚の基盤（台座、パレット、基礎板）にセッティングしながらも、からまりの原因となる干渉の惹起を防止する。これによって選択肢が広がる。【００１５】  携帯に向いていない大型の縫道具箱内の整理整頓用ツールにもなる。とりわけ、針山を整理できる。【００１６】  便利グッズ）の自作支援ツールにもなる。【００１７】  簡易型ハード・ケース側は一種類であっても、（１）予め糸が通された針のセッティング可能数、針、糸以外のセッティング可能道具種類と相関する基盤（台座、パレット、基礎板）の形状、（２）針の種類、（３）糸の種類、この３点を変えるだけで、多様なニーズに応じられる薄型（カード型）のソーイング・セットが提供できる。
【図面の簡単な説明】
【図面の簡単な説明】
【００１８】
【図１】図１は、予め糸が通された針を、一枚の基盤（台座、パレット、基礎板）に複数組みセッティングしながらも、からまりの原因となる干渉の惹起を防止できるジュールを用いた、カード型化も、裁縫箱の整理整用ツール化も、両方実現できる小型裁縫道具（ソーイング・セット）についての、１実施例の配置図である。（実施例４）
【図２】図２は、従来型の糸巻きに針をセッティングした場合についての、１実施例の配置図である。
【図３】図３は、従来型の糸巻きに予め糸が通された針をセッティングした場合についての、１実施例の配置図である。（実施例２）
【図４】図４は、針と糸の符号の説明をするための図である。
【図５】図５は、予め糸が通された針を、一枚の基盤（台座、パレット、基礎板）に複数組みセッティングしながらも、からまりの原因となる干渉の惹起を防止できるモジュール（本件モジュール）についての、基本的なパターン図である。（実施例１）
【図６】図６は、針を固定するためスペース及び、針を固定するための機構（装置）の基本的なパターンについての、側面図的な概念図である。
【図７】図７は、本件モジュールに、予め糸が通された針をセッティングした場合の、１実施例についての配置図である。（実施例１）
【図８】図８は、磁石を用いた針固定機構（装置）を選択した本件モジュール、それを２倍にした一枚の基盤（台座、パレット、基礎板）に、予め糸が通された針をセッティングした場合についての、１実施例の配置図である。（実施例１４）
【図９】図９は、基盤（台座、パレット、基礎板）にもうけられた溝（窪み）及び台座に巻きつけられた糸から構成される針固定機構（装置）を選択した本件モジュール、それを２倍にした一枚の基盤（台座、パレット、基礎板）に、予め糸が通された針をセッティングした場合についての、１実施例の配置図である。（実施例３）
【図１０】図１０は、基盤（台座、パレット、基礎板）に貼りつけられたラバー（又はラバーのようなクッション性と吸着性を有する物質）及び、基盤（台座、パレット、基礎板）に巻きつけられた糸を用いた針固定機構（装置）を選択した本件モジュール、それを２倍にした一枚の基盤（台座、パレット、基礎板）に、予め糸が通された針をセッティングした場合についての、１実施例の配置図である。（実施例３）
【図１１】図１１は、磁石を用いた針固定機構（装置）を選択した本件モジュール、それを４倍にした一枚の基盤（台座、パレット、基礎板）に、予め糸が通された針をセッティングした場合についての、１実施例の配置図である。（実施例３）
【図１２】図１２は、基盤（台座、パレット、基礎板）にもうけられた溝（窪み）と、台座に巻きつけられた糸を用いた針固定機構（装置）を選択した本件モジュール、それを４倍にした一枚の基盤（台座、パレット、基礎板）に、予め糸が通された針をセッティングした場合についての、１実施例の配置図である。（実施例３）
【図１３】図１３は、基盤（台座、パレット、基礎板）に貼りつけられたラバー（又はラバーのようなクッション性と吸着性を有する物質）及び、基盤（台座、パレット、基礎板）に巻きつけられた糸を用いた針固定機構（装置）を選択した本件モジュール、それを４倍にした一枚の基盤（台座、パレット、基礎板）に、予め糸が通された針をセッティングした場合についての、１実施例の配置図である。（実施例３）
【図１４】図１４は、基盤（台座、パレット、基礎板）や収容ケースの短辺よりも長い針を用いる場合且つ、磁石を用いた針固定機構（装置）を選択した場合、それついての本件モジュールの配置図である。（実施例３）（実施例５）
【図１５】図１５は、基盤（台座、パレット、基礎板）や収容ケースの短辺よりも長い針を用いる場合且つ、基盤（台座、パレット、基礎板）にもうけられた溝（窪み）及び台座に巻きつけられた糸から構成される針固定機構（装置）を選択した場合、それついての本件モジュールの配置図である。（実施例３）（実施例５）
【図１６】図１６は、基盤（台座、パレット、基礎板）や収容ケースの短辺よりも長い針を用いる場合且つ、基盤（台座、パレット、基礎板）にもうけられた溝（窪み）及び台座に巻きつけられた糸から構成される針固定機構（装置）を選択した場合、それついての本件モジュールの配置図である。（実施例３）（実施例５）
【図１７】図１７は、図１（実施例４）の基盤（台座、パレット、基礎板）についての平面図である。（実施例４）
【図１８】図１８は、図１（実施例４）の機能性を維持しながら、基盤（台座、パレット、基礎板）や収容ケースの短辺よりも長い針を用いる場合についての、１実施例の配置図である。（実施例５）
【図１９】図１９は、本件モジュールの原初型を用い且つ、基盤（台座、パレット、基礎板）や収容ケースの短辺よりも長い針を用いる場合についての、１実施例の配置図である。（実施例６）
【図２０】図２０は、引き出し化が可能な道具に関しては引き出し化し、引き出し化が可能な道具に関しては引き出しをつけることによって、実施例３のような基盤（台座、パレット、基礎板）を用いずにソーイング・セットの薄型（カード型）化を追求した場合についての、１実施例の配置図である。（実施例７）
【図２１】図２１は、図２０（実施例７）に本件モジュールを組み込んだ場合についての、１実施例配置図である。（実施例８）
【図２２】図２２は、図２０（実施例７）に本件モジュールを組み込んだ場合についての、１実施例の配置図である。（実施例８）
【図２３】図２３は、図２０（実施例７）に本件モジュールを組み込んだ場合についての、１実施例の配置図である。（実施例８）
【図２４】図２４は、本件モジュールに予備の針と予備の糸を組み込んだ場合についての、従来型と本件の折中案のような、１実施例の配置図である。（実施例９）
【図２５】図２５は、本件モジュールに予備の針と予備の糸を組み込んだ場合についての、従来型と本件の折中案のような、１実施例の配置図である。（実施例９）
【図２６】図２６は、本件基盤（台座、パレット、基礎板）それ自体を引き出し化することによってソーイング・セットのカード化を実現するのに必要な、簡易型ハード・ケースについての、立面図的な概念図である。（実施例１０）
【図２７】図２７は、図２０（実施例７）についての、立面図的な概念図である。（実施例１０）
【図２８】図２８は、図２１（実施例８）、図２２（実施例８）、図２３（実施例２３）についての、立面図的な概念図である。（実施例１０）
【図２９】図２９は、コンビニエンスストアやネットカフェ等での緊急裁縫道具のレンタル・サービス（緊急裁縫道具のシェアリング）の提供を目的に大型化した本件モジュールについての、１実施例の配置図（糸巻きの回転面に対し平行タイプ）である。（実施例１１）
【図３０】図３０は、コンビニエンスストアやネットカフェ等での緊急裁縫道具のレンタル・サービス（緊急裁縫道具のシェアリング）の提供を目的に大型化した本件モジュールについての、１実施例の配置図（糸巻きの回転面に対し垂直タイプ）である。（実施例１１）
【図３１】図３１は、コンビニエンスストアやネットカフェ等での緊急裁縫道具のレンタル・サービス（緊急裁縫道具のシェアリング）の提供を目的に大型化した本件モジュールについての、１実施例の配置図（糸巻きの側面に本件モジュールを組み込んだタイプで、予め糸が通された針の固定装置（機構）が軸及び糸巻きのもう一方の固定装置（機構）の役割を果たしているタイプ）である。（実施例１１）
【考案を実施するための形態】
【００１９】  予め糸が通された針を、一枚の基盤（台座、パレット、基礎板）に複数組みセッティングしながらも、からまりの原因となる干渉の惹起の防止を可能にする最小単位を発見することで、モジュール化し、延いては一枚の基盤（台座、パレット、基礎板）でありながら多様な組み合わせを実現する。
【実施例１】
【００２０】  図５は本発明の要となる１実施例である。予め糸が通された針を、一枚の基盤（台座、パレット、基礎板）に複数組みセッティングしながらも、からまりの原因となる干渉の惹起を防止するモジュール（以降、本件モジュールと略す）でもある。
（１）針を固定するためスペース。（２）針の固定機構（装置）（図５の６で、複数考えられる固定方法についての説明は後述の符号の説明６、７、８、９、１０、１１、１２、１３、１４、１５に譲る）。（３）それと隣接させた一箇所、ないし二箇所の糸の先端と末端を固定するための切れ込み（図５の４）（但し、図２９、図３０、図３１のように、回転型の糸巻きに巻かれた糸を用いるタイプの場合は、先端を固定するための切れ込みを用意するだけで十分である）。（４）同様に隣接させた（針の固定位置から糸の先端と末端の固定位置までの距離の長さよりも長い糸、それを用いる場合にからまりの原因となる干渉の惹起を防止するために必要になる）糸を巻きつけながら固定するための仕掛け（＝糸巻き＝糸の干渉を防ぐための仕切りであり、二次元的である本件の場合は溝（窪み））（図５の５）。この４点から本件モジュールは構成される。図５で示されているのは３パターンであるが、どれもこの４点から構成されている。
因みにこれは、三次元化（ビルディング化、階層化）する場合にも通用する。
【実施例２】
【００２１】  図３は、従来物の１例である図２に、予め糸が通された針を複数組みセッティングした場合についての、１実施例である。
（１）どれほど糸を巻きつけながら固定するための窪み（溝）を増やしても、（２）どれほど工夫しても、従来物においては、からまりの原因となる干渉の惹起が防止できる組み数、それが２組み以下であることを示すものである。それとて、場合によっては巻きつけられた全ての糸の先端と末端を、それらを固定するための切れ込み（符号４）から外さなければならなくなる、この本発明では不要な工程を増やしているが。
【実施例３】
【００２２】  図８、図９、図１０、図１２、図１３、図１４、図１５、図１６もそうであるが、図１１は、本件モジュール（図５）を単純増設した一枚の基盤（台座、パレット、基礎板）に予め糸が通された針をセッティングした場合についての、１実施例である。本件モジュールが、従来物異なり、一枚の基盤（台座、パレット、基礎板）に予め糸が通された針を３組以上セッティングしながらも、からまりの原因となる干渉の惹起を防止できることを示すものでもある。
本件モジュールを利用しているかいないかの違い、それが図８、図９、図１０、図１１、図１２、図１３、図１４、図１５、図１６（本発明）と、図３（従来物）の違いである。
【実施例４】
【００２３】  図１８図、１９図もそうであるが、図１は、さらに、ボタン、ホック、糸通し、安全ピン、マチ針、（予め糸が通されてはいない）予備の針や種類の異なる針、等々の道具を固定するためのスペースや、糸を切断するための小型カッターを組み込んだ場合についての、１実施例である。図１７は、図１の基盤（台座、パレット、基礎板）の平面図である。
図１、図１８図、１９図は、図８、図９、図１０、図１１、図１２、図１３、図１４、図１５、図１６のようなモジュールの単純増設型と比べれば、ソーイング・セットのカード型化に向いている。複数の基盤（台座、パレット、基礎板）から構成されていることが多い故、図１や図１８と比べれば、図８、図９、図１０、図１１、図１２、図１３、図１４、図１５、図１６は従来型のソーイング・セットをバージョン・アップするための新ツールに向いている。
【実施例５】
【００２４】  図１８は、図１（実施例４）の機能性を維持しながら、基盤（台座、パレット、基礎板）や収容ケースの短辺よりも長い針を用いる場合についての、１実施例である。
【実施例６】
【００２５】  図１９は、図１８と同様に基盤（台座、パレット、基礎板）や収容ケースの短辺よりも長い針を用いる場合についての、１実施例である。図１９と図１８との間の違いは、本件モジュールの原初型が利用されているか否か、にある。
【実施例７】
【００２６】  図２１、図２２、図２３もそうであるが、図２０は、引き出し化が可能な道具に関しては引き出し化し、引き出し化が不可能な道具に関しては引き出しをつけることで、実施例１のような基盤（台座、パレット、基礎板）を用いずにソーイング・セットの薄型（カード型）化を追求した場合についての、１実施例である。
【実施例８】
【００２７】  図２２、図２３もそうであるが、図２１は、図２０（実施例７）に本件モジュールを組み込んだ場合についての、１実施例である。
【実施例９】
【００２８】  図２４や図２５は、本件モジュールに予備の針と予備の糸を組み込んだ場合についての、従来型と本件の折中案のような１実施例である。
【実施例１０】
【００２９】  図２６は、簡易型ハード・ケース側は一種類であっても、（１）予め糸が通された針のセッティング可能数、針、糸以外のセッティング可能道具種類と相関する基盤（台座、パレット、基礎板）の形状、（２）針の種類、（３）糸の種類、この３点を変えただけで、多様なニーズに応じられる薄型（カード型）のソーイング・セットが提供できることを示している。
【実施例１１】
【００３０】  図３０、図３１もそうであるが、図２９は、コンビニエンスストアやネットカフェ等での緊急裁縫道具のレンタル・サービス（緊急裁縫道具のシェアリング）を提供する目的から、本件モジュールを大型化し且つ、糸巻きを回転型化した場合についての、１実施例である。
【産業上の利用可能性】
【００３１】（１）からまりの原因となる干渉の惹起が防止できる、モジュール化された予め糸が通された針の固定装置（機構）、（２）それを用いた基盤（台座、パレット、基礎板）、（３）それに合わせたケースを量産する、これだけで従来の商品に付加価値を与えられる。【００３２】  さらに、簡易型ハード・ケース側は一種類であっても、（１）予め糸が通された針のセッティング可能数、針、糸以外のセッティング可能道具種類と相関する基盤（台座、パレット、基礎板）の形状、（２）針の種類、（３）糸の種類、この３点を変えるだけで、多様なニーズに応じられる薄型（カード型）のソーイング・セットが提供できる。【００３３】本件モジュールを、大型化し、糸巻きを回転型にするなどすれば、それを設置したコンビニエンスストアやネットカフェ等における緊急裁縫道具のレンタル・サービス（緊急裁縫道具のシェアリング）が実現する。
【符号の説明】
【００３４】  １  針
２  糸
３  基盤（台座、パレット、基礎板）
４  糸の先端と末端を固定するための切れ込み
５  （針の固定位置から糸の先端と末端の固定位置までの距離の長さよりも長い糸、それを用いる場合にからまりを防ぐためには必要になる）糸を巻きつけながら固定するための仕掛け（＝糸巻き＝糸の干渉を防ぐための仕切りであり、二次元的である本件の場合は溝（窪み））
６  針を固定するためスペース
７  針を固定するための機構（装置）、例えば磁石
８  針を固定するための機構（装置）、例えばゴム
９  針を固定するための機構（装置）、例えば発泡素材
１０  針を固定するための機構（装置）、例えば粘着テープ
１１  針を固定するための機構（装置）、例えば立体形成された合成樹脂製の基盤（台座、パレット、基礎板）にもうけられた摩擦力でのみ固定できる大きさの穴、又は溝（装置）
１２  針を固定するための機構（装置）、例えば軟質性合成樹脂と硬質性合成樹脂から構成される基盤（台座、パレット、基礎板）にもうけられた、摩擦力でのみ固定できる大きさの穴、又は溝（窪み）
１３  針を固定するための機構（装置）、例えば厚紙製の基盤（台座、パレット、基礎板）にもうけられた摩擦力でのみ固定できる大きさの穴、または溝（窪み）
１４  針を固定するための機構（装置）、例えば基盤（台座、パレット、基礎板）にもうけられた溝（窪み）及び、台座に巻きつけられた糸
１５  針を固定するための機構（装置）、例えば基盤（台座、パレット、基礎板）に貼りつけられたラバー、又はラバーのようなクッション性と吸着性を有する物質及び、台座に巻きつけられた糸
１６  ボタン、ホック、糸通し、安全ピン、はさみ、マチ針、（予め糸が通されてはいない）予備の針や種類の異なる針等々、針の長さに比べれば高さ（厚さ）が小さい道具を固定するためのスペース
１７  糸を切断するための小型カッター
１８  糸通し
１９  ホック
２０  ボタン
２１  はさみ
２２  ライト
２３  糸巻き
２４  ボールペン（筆記具）
２５  つまようじ
２６  ピンセット
２７  紐通し
２８  耳かき
２９  精密ドライバー
３０  ナイフ
３１  簡易型ハード・ケース
３２  糸の固定に寄与するスリット
【手続補正２】
【補正対象書類名】実用新案登録請求の範囲
【補正対象項目名】全文
【補正方法】変更
【補正の内容】
【実用新案登録請求の範囲】
【請求項１】
予め針に糸を通した状態を特徴とし、それによって、（１）より素早い処置を実現させ、（２）従来の裁縫道具のシステム化が進むこともあり、従来の裁縫道具の利便性及び、従来の裁縫道具の価値を向上させ、（３）さらに大型化し糸巻きを回転型にするなどすれば、それを設置したコンビニエンスストアやネットカフェ等における緊急裁縫道具のレンタル・サービス（緊急裁縫道具のシェアリング）を実現させられる、裁縫道具（ソーイング・セット、ソーイング・ツール、ソーイング・キット、エマージェンシー・ツール、サバイバル・キット、便利グッズ）。
【請求項２】
モジュール化された一枚の基盤（台座、パレット、基礎板）に複数の予め糸を通した針をセッティングしてもからまりを防げる最小単位、それ及びその応用を特徴とし、それによって、（１）より素早い処置を実現させ、（２）選択肢を多様化させ、（３）従来の裁縫道具のシステム化が進むこともあり、従来の裁縫道具の利便性及び、従来の裁縫道具の価値を向上させ、（４）さらに大型化し糸巻きを回転型にするなどすれば、それを設置したコンビニエンスストアやネットカフェ等における緊急裁縫道具のレンタル・サービス（緊急裁縫道具のシェアリング）を実現させ、（５）薄型（カード型）化を実現させ、（６）裁縫箱の整理整頓用ツール化を実現させられる、裁縫道具（ソーイング・セット、ソーイング・ツール、ソーイング・キット、エマージェンシー・ツール、サバイバル・キット、便利グッズ）。
【請求項３】
薄型（カード型）を特徴とし、それによって、（１）より高い携帯性、（２）従来の裁縫道具のシステム化が進むこともあり、従来の裁縫道具の利便性及び、従来の裁縫道具の価値、それらを向上させた、裁縫道具（ソーイング・セット、ソーイング・ツール、ソーイング・キット、エマージェンシー・ツール、サバイバル・キット、便利グッズ）。
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
ミシン及びステッチャーを除く、裁縫用針と糸の２点以上から構成さるものとしてのソーイング・セットにおいて、（１）縫製用の針、（２）糸、（３）従来型の糸巻き、前記の（１）（２）（３）の３点が、予め縫製用の針に糸を通した状態にした上で、組み合わされていることを特徴とするソーイング・セット。
【請求項２】
一枚の糸巻き機能も有する基盤（符号３）に、複数の予め糸を通した針をセッティングしてもからまりを防げる最小単位、即ち、（１）針を固定するためスペース、（２）例えば磁石（符号７）、例えばゴム（符号８）、例えば発泡素材（符号９）、例えば粘着テープ（符号１０）、例えば立体形成された合成樹脂製の基盤の側にもうけられた摩擦力でのみ固定できる大きさの穴又は溝又は窪み（符号１１）、例えば軟質性合成樹脂と硬質性合成樹脂から構成される基盤の側にもうけられた摩擦力でのみ固定できる大きさの穴又は溝又は窪み（符号１２）、例えば厚紙製の基盤の側にもうけられた摩擦力でのみ固定できる大きさの穴又は溝又は窪み（符号１３）、例えば基盤の側にもうけられた溝又は窪み及び基盤に巻きつけられた糸（符号１４）、例えばラバー又はラバーのようなクッション性及び吸着性を有する物質及び基板に巻きつけられた糸（符号１５）、これらを手段とする、予め糸が通された裁縫用の針の固定機構（装置）、（３）回転型の糸巻きに巻かれた糸を用いるタイプの場合は、先端を固定するための切れ込みを用意するだけで十分であるが、本件明細書においては「切れ込み」としている、針の固定機構（装置）と隣接させた１箇所、ないし２箇所の糸の先端と末端を固定するための機構（装置）（符号４）、（４）針の固定機構（装置）と隣接させ、本件明細書において「溝」であるとか「窪み」であるとかと呼ばれている、糸を巻きつけながら固定するための機構（装置）（符号５）、前記の（１）（２）（３）（４）の４点を構造的且つ形状的な特徴とするもの（明細書内で本件モジュールと命名されたもの）、その応用を特徴とする、ミシン及びステッチャーを除くソーイング・セット。
【請求項３】
カード型という形状を実現するために、（１）請求項１及び請求項２がもたらし得るものの中の長方形型とケースとを組み合わせる、（２）薄型の裁縫道具それ自体を引き出し化し、さらにボタン又は予め糸が通されていない縫製用の針のように引き出し化の難しい薄型の裁縫道具についてはそれ用の引き出しを与える、（３）前記の（２）に、請求項１及び請求項２を組み込む、前記の（１）（２）（３）の３点の内のどれかを手段とすることを特徴とする、ミシン及びステッチャーを除く、裁縫用の針と糸の２点以上から構成されるものとしてのソーイング・セット。
【手続補正２】
【補正対象書類名】図面
【補正対象項目名】図２５
【補正方法】削除
【補正の内容】
【手続補正３】
【補正対象書類名】明細書
【補正対象項目名】全文
【補正方法】変更
【補正の内容】
【考案の詳細な説明】
【技術分野】
【０００１】  本考案は、（１）ソーイング・セットの薄型（カード型）化も、（２）裁縫箱の整理整頓用ツール化も、両方同時に実現できる裁縫道具（ソーイング・セット、ソーイング・ツール、ソーイング・キット、エマージェンシー・ツール、サバイバル・キット、便利グッズ）に関するものである。
【背景技術】
【０００２】  図２のように、従来型のソーイング・セットやサバイバル・キット内のソーイング・セットにおいては、予め針に糸が通されていない。  それ故に、緊急時での利用が想定されていながら、緊急時にストレスを強化する、このような欠点がある。  （１）明るさが十分にない、（２）眼鏡がない、（３）雨で糸や針が濡れてしまっている、（４）寒さで手がかじかんでいる、（５）風が吹いている、等々。針に糸を通すことに難儀するのが緊急時である。それ故、せっかくソーイング・セットを携帯していながら、その所有者が緊急時に針に糸を通すことに難儀し、応急措置を見送ってしまった、このようなケースもある。【０００３】  また、緊急時に素早く取り出して応急処置にとかかるために、購入後に所有者が予め糸が通された状態に変えようにも、一枚の基盤（台座、パレット、基礎板）にセッティングする限り、図３のように、３組み以上になると、からまりの原因となる干渉が惹起される。【０００４】  さらに、携帯性をより高められる薄型（カード型）化、及び利便性をより高められるシステム化されたソーイング・セットはない。
【考案の概要】
【考案が解決しようとする課題】
【０００５】  解決しようとする問題点は、緊急時であればある程針に糸を通すことに難儀し、それ故緊急時に素早く応急処置にとかかれない点である。【０００６】  複数の予め糸が通された針を一枚の基盤（台座、パレット、基礎板）にセッティングすると、図３のように従来物ではからまりの原因となる干渉の惹起を防止できない点である。【０００７】  従来のソーイング・セットには携帯性をより高められる余地がある点である。
【課題を解決するための手段】
【０００８】  予め針に糸を通した状態にしておくことを特徴とし、所有者が針に糸を通す、この工程を経ずに応急措置にとかかれる状態にすることによって、素早い裁縫分野の補修のサポートを実現する。【０００９】  （１）針を固定するためスペース、（２）針の固定機構（装置）（図５の６で、複数考えられる固定方法についての説明は後述の符号の説明６、７、８、９、１０、１１、１２、１３、１４、１５に譲る）、（３）それと隣接させた一箇所、ないし二箇所の糸の先端と末端を固定するための切れ込み（図５の４）（但し、図２８、図２９、図３０のように、回転型の糸巻きに巻かれた糸を用いるタイプの場合は、先端を固定するための切れ込みを用意するだけで十分である）、（４）同様に隣接させた（針の固定位置から糸の先端と末端の固定位置までの距離の長さよりも長い糸、それを用いる場合にからまりの原因となる干渉の惹起を防止するために必要になる）糸を巻きつけながら固定するための仕掛け（＝糸巻き＝糸の干渉を防ぐための仕切りであり、二次元的である本件の場合は溝（窪み））（図５の５）、この４点から構成される固定装置（機構）をモジュール化することによって、複数の予め針に糸を通した状態の針を一枚の基盤（台座、パレット、基礎板）にセッティングしながらもからまりの原因となる干渉の惹起の防止を実現する。【００１０】  薄型（カード型）化とシステム化を特徴とし、本考案の請求項１や本考案の請求項２の取り込むことによってより一層の携帯性と利便性の向上を実現する。
【考案の効果】
【００１１】  素早く応急処置にとかかれる。所有者が針に糸を通す、この工程を経ずに応急措置にとかかれる。【００１２】  従来の裁縫道具のシステム化が進むこともあり、従来の裁縫道具の利便性が向上し、従来の裁縫道具の価値が向上する。【００１３】  大型化し糸巻きを回転型にするなどすれば、緊急裁縫道具のレンタル・サービス（緊急裁縫道具のシェアリング）を提供できる。【００１４】  複数の予め糸が通された針を一枚の基盤（台座、パレット、基礎板）にセッティングしながらも、からまりの原因となる干渉の惹起を防止する。これによって選択肢が広がる。【００１５】  携帯に向いていない大型の縫道具箱内の整理整頓用ツールにもなる。とりわけ、針山を整理できる。【００１６】  便利グッズ）の自作支援ツールにもなる。【００１７】  簡易型ハード・ケース側は一種類であっても、（１）予め糸が通された針のセッティング可能数、針、糸以外のセッティング可能道具種類と相関する基盤（台座、パレット、基礎板）の形状、（２）針の種類、（３）糸の種類、この３点を変えるだけで、多様なニーズに応じられる薄型（カード型）のソーイング・セットが提供できる。
【図面の簡単な説明】
【００１８】
【図１】図１は、予め糸が通された針を、一枚の基盤（台座、パレット、基礎板）に複数組みセッティングしながらも、からまりの原因となる干渉の惹起を防止できるジュールを用いた、カード型化も、裁縫箱の整理整用ツール化も、両方実現できる小型裁縫道具（ソーイング・セット）についての、１実施例の配置図である。（実施例４）
【図２】図２は、従来型の糸巻きに針をセッティングした場合についての、１実施例の配置図である。
【図３】図３は、従来型の糸巻きに予め糸が通された針をセッティングした場合についての、１実施例の配置図である。（実施例２）
【図４】図４は、針と糸の符号の説明をするための図である。（ａ）は、糸が通されていない針である。（ｂ）は、糸が通された状態の針である。
【図５】図５は、予め糸が通された針を、一枚の基盤（台座、パレット、基礎板）に複数組みセッティングしながらも、からまりの原因となる干渉の惹起を防止できるモジュール（本件モジュール）についての、基本的なパターン図である。（ａ）は、針の固定機構（装置）として、磁石を用いるタイプである。（ｂ）は、針の固定機構（装置）として、溝（窪み）及び巻きつけられた糸を用いるタイプである。（ｃ）は、針の固定機構（装置）として、ラバー又はラバーのようなクッション性と吸着性を有する物質及び巻きつけられた糸を用いるタイプである。（ｄ）は、針の固定機構（装置）として、針の向きに対して約９０度で糸を巻きつけることによって、溝（窪み）やクッション性と吸着性を有する物質を利用しなくても巻きつけられた糸のみの力で固定できるタイプである。（実施例１）（実施例３）（実施例１）
【図６】図６は、針を固定するためスペース及び、針を固定するための機構（装置）の基本的なパターンについての、側面図的な概念図である。（ａ）は、磁石を用いるタイプである。（ｂ）は、ゴムを用いるタイプである。（ｃ）は、発泡素材を用いるタイプである。（ｄ）は、粘着テープを用いるタイプである。（ｅ）は、単質素材、且つ、摩擦力でのみ固定できる大きさの穴、又は溝（窪み）を用いるタイプである。（ｆ）は、（ｅ）の複合素材（硬質素材と軟質素材）バージョンである。（ｇ）は、（ｃ）（ｅ）の厚紙バージョンである。（ｈ）は、溝（窪み）及び巻きつけられた糸を用いたタイプである。（ｉ）は、ラバー又はラバーのようなクッション性と吸着性を有する物質及び巻きつけられた糸を用いるタイプである。（実施例１）（実施例３）
【図７】図７は、本件モジュールに、予め糸が通された針をセッティングした場合の、１実施例についての配置図である。（ａ）は、針の固定機構（装置）として、磁石を用いるタイプである。（ｂ）は、針の固定機構（装置）として、溝（窪み）及び巻きつけられた糸を用いるタイプである。（ｃ）は、針の固定機構（装置）として、針の向きに対して約９０度で糸を巻きつけることによって、溝（窪み）やクッション性と吸着性を有する物質を利用しなくても巻きつけられた糸のみの力で固定できるタイプである。（実施例１）
【図８】図８は、磁石を用いた針固定機構（装置）を選択した本件モジュール、それを２倍にした一枚の基盤（台座、パレット、基礎板）に、予め糸が通された針をセッティングした場合についての、１実施例の配置図である。（ａ）は、本件モジュール単体。（ｂ）は、横方向に単純倍増体。（実施例１４）
【図９】図９は、基盤（台座、パレット、基礎板）にもうけられた溝（窪み）及び基盤（台座、パレット、基礎板）に巻きつけられた糸から構成される針固定機構（装置）を選択した本件モジュール、それを２倍にした一枚の基盤（台座、パレット、基礎板）に、予め糸が通された針をセッティングした場合についての、１実施例の配置図である。（ａ）は、本件モジュール単体。（ｂ）は、横方向に単純倍増体。（実施例３）
【図１０】図１０は、基盤（台座、パレット、基礎板）に貼りつけられたラバー（又はラバーのようなクッション性と吸着性を有する物質）及び、基盤（台座、パレット、基礎板）に巻きつけられた糸を用いた針固定機構（装置）を選択した本件モジュール、それを２倍にした一枚の基盤（台座、パレット、基礎板）に、予め糸が通された針をセッティングした場合についての、１実施例の配置図である。（ａ）は、モジュール単体。（ｂ）は、横方向に単純倍増体。（実施例３）
【図１１】図１１は、磁石を用いた針固定機構（装置）を選択した本件モジュール、それを４倍にした一枚の基盤（台座、パレット、基礎板）に、予め糸が通された針をセッティングした場合についての、１実施例の配置図である。（実施例３）
【図１２】図１２は、基盤（台座、パレット、基礎板）にもうけられた溝（窪み）及び、基盤（台座、パレット、基礎板）に巻きつけられた糸を用いた針固定機構（装置）を選択した本件モジュール、それを４倍にした一枚の基盤（台座、パレット、基礎板）に、予め糸が通された針をセッティングした場合についての、１実施例の配置図である。（実施例３）
【図１３】図１３は、基盤（台座、パレット、基礎板）に貼りつけられたラバー（又はラバーのようなクッション性と吸着性を有する物質）及び、基盤（台座、パレット、基礎板）に巻きつけられた糸を用いた針固定機構（装置）を選択した本件モジュール、それを４倍にした一枚の基盤（台座、パレット、基礎板）に、予め糸が通された針をセッティングした場合についての、１実施例の配置図である。（実施例３）
【図１４】図１４は、基盤（台座、パレット、基礎板）や収容ケースの短辺よりも長い針を用いる場合且つ、磁石を用いた針固定機構（装置）を選択した場合、それついての本件モジュールの配置図である。（実施例３）（実施例５）
【図１５】図１５は、基盤（台座、パレット、基礎板）や収容ケースの短辺よりも長い針を用いる場合且つ、基盤（台座、パレット、基礎板）にもうけられた溝（窪み）及び基盤（台座、パレット、基礎板）に巻きつけられた糸から構成される針固定機構（装置）を選択した場合、それついての本件モジュールの配置図である。（実施例３）（実施例５）
【図１６】図１６は、基盤（台座、パレット、基礎板）や収容ケースの短辺よりも長い針を用いる場合且つ、基盤（台座、パレット、基礎板）にもうけられた溝（窪み）及び基盤（台座、パレット、基礎板）に巻きつけられた糸から構成される針固定機構（装置）を選択した場合、それついての本件モジュールの配置図である。（実施例３）（実施例５）
【図１７】図１７は、図１（実施例４）の基盤（台座、パレット、基礎板）についての平面図である。（実施例４）
【図１８】図１８は、図１（実施例４）の機能性を維持しながら、基盤（台座、パレット、基礎板）や収容ケースの短辺よりも長い針を用いる場合についての、１実施例の配置図である。（実施例５）
【図１９】図１９は、本件モジュールの原初型を用い且つ、基盤（台座、パレット、基礎板）や収容ケースの短辺よりも長い針を用いる場合についての、１実施例の配置図である。（実施例６）
【図２０】図２０は、引き出し化が可能な道具に関しては引き出し化し、引き出し化が可能な道具に関しては引き出しをつけることによって、実施例３のような基盤（台座、パレット、基礎板）を用いずにソーイング・セットの薄型（カード型）化を追求した場合についての、１実施例の配置図である。（実施例７）
【図２１】図２１は、図２０（実施例７）に本件モジュールを組み込んだ場合についての、１実施例配置図である。（実施例８）
【図２２】図２２は、図２０（実施例７）に本件モジュールを組み込んだ場合についての、１実施例の配置図である。（実施例８）
【図２３】図２３は、図２０（実施例７）に本件モジュールを組み込んだ場合についての、１実施例の配置図である。（実施例８）
【図２４】図２４は、本件モジュールに予備の針と予備の糸を組み込んだ場合についての、従来型と本件の折中案のような、１実施例の配置図である。（実施例９）
【図２５】図２５は、本件基盤（台座、パレット、基礎板）、それ自体を引き出し化することによってソーイング・セットのカード型化を実現するのに必要な、簡易型ハード・ケースについての、立面図的な概念図である。（ａ）〜（ｆ）の違いは、ケースの構造的強度及び、意図しない露出率に関係する、引き出し化した本件基盤（台座、パレット、基礎板）と簡易型ハード・ケースとの間の接触面積に依存する摩擦力にある。（ａ）は、（ｄ）に比べれば構造的な強度が下がるが、コスト的にバランスが取れているタイプである。（ｂ）は、（ａ）よりもケースとの間の接触面積及び接触面を増やすことによって（ａ）よりも意図しない露出を減らしかつ、（ａ）よりも収容スペースが大きいタイプである。（ｃ）は、（ａ）接触面数は同じであるが、（ａ）よりも収容スペースが大きいタイプである。（ｄ）は、ケースの構造的強度を重視したタイプである。（ｅ）は、（ｂ）の接触面積及び接触面数を増やしたタイプである。（ｆ）は、（ｄ）の接触面積を増やしたタイプである。（実施例１０）
【図２６】図２６は、図２０（実施例７）についての、立面図的な概念図である。（実施例１０）
【図２７】図２７は、図２１（実施例８）、図２２（実施例８）、図２３（実施例２３）についての、立面図的な概念図である。（実施例１０）
【図２８】図２８は、コンビニエンスストアやネットカフェ等での緊急裁縫道具のレンタル・サービス（緊急裁縫道具のシェアリング）の提供を目的に大型化した本件モジュールについての、１実施例の配置図（糸巻きの回転面に対し平行タイプ）である。（ａ）は非回転糸巻きタイプである。（ｂ）は回転糸巻きタイプである。（実施例１１）
【図２９】図２９は、コンビニエンスストアやネットカフェ等での緊急裁縫道具のレンタル・サービス（緊急裁縫道具のシェアリング）の提供を目的に大型化した本件モジュールについての、１実施例の配置図（糸巻きの回転面に対し垂直タイプ）である。（ａ）は非回転糸巻きタイプである。（ｂ）は回転糸巻きタイプである。（実施例１１）
【図３０】図３０は、コンビニエンスストアやネットカフェ等での緊急裁縫道具のレンタル・サービス（緊急裁縫道具のシェアリング）の提供を目的に大型化した本件モジュールについての、１実施例の配置図（糸巻きの側面に本件モジュールを組み込んだタイプで、予め糸が通された針の固定装置（機構）が軸及び糸巻きのもう一方の固定装置（機構）の役割を果たしているタイプ）である。（ａ）は非回転糸巻きタイプである。（ｂ）は回転糸巻きタイプである。（実施例１１）
【考案を実施するための形態】
【００１９】  予め糸が通された針を、一枚の基盤（台座、パレット、基礎板）に複数組みセッティングしながらも、からまりの原因となる干渉の惹起の防止を可能にする最小単位を発見することで、モジュール化し、延いては一枚の基盤（台座、パレット、基礎板）でありながら多様な組み合わせを実現する。
【実施例１】
【００２０】  図５は本考案の要となる１実施例である。予め糸が通された針を、一枚の基盤（台座、パレット、基礎板）に複数組みセッティングしながらも、からまりの原因となる干渉の惹起を防止するモジュール（以降、本件モジュールと略す）でもある。  （１）針を固定するためスペース。（２）針の固定機構（装置）（図５の６で、複数考えられる固定方法についての説明は後述の符号の説明６、７、８、９、１０、１１、１２、１３、１４、１５に譲る）。（３）それと隣接させた一箇所、ないし二箇所の糸の先端と末端を固定するための切れ込み（図５の４）（但し、図２８、図２９、図３０のように、回転型の糸巻きに巻かれた糸を用いるタイプの場合は、先端を固定するための切れ込みを用意するだけで十分である）。（４）同様に隣接させた（針の固定位置から糸の先端と末端の固定位置までの距離の長さよりも長い糸、それを用いる場合にからまりの原因となる干渉の惹起を防止するために必要になる）糸を巻きつけながら固定するための仕掛け（＝糸巻き＝糸の干渉を防ぐための仕切りであり、二次元的である本件の場合は溝（窪み））（図５の５）。この４点から本件モジュールは構成される。図５で示されているのは３パターンであるが、どれもこの４点から構成されている。  因みにこれは、三次元化（ビルディング化、階層化）する場合にも通用する。
【実施例２】
【００２１】  図３は、従来物の１例である図２に、予め糸が通された針を複数組みセッティングした場合についての、１実施例である。  （１）どれほど糸を巻きつけながら固定するための窪み（溝）を増やしても、（２）どれほど工夫しても、従来物においては、からまりの原因となる干渉の惹起が防止できる組み数、それが２組み以下であることを示すものである。それとて、場合によっては巻きつけられた全ての糸の先端と末端を、それらを固定するための切れ込み（符号４）から外さなければならなくなる、この本考案では不要な工程を増やしているが。
【実施例３】
【００２２】  図８、図９、図１０、図１２、図１３、図１４、図１５、図１６もそうであるが、図１１は、本件モジュール（図５）を単純増設した一枚の基盤（台座、パレット、基礎板）に予め糸が通された針をセッティングした場合についての、１実施例である。本件モジュールが、従来物異なり、一枚の基盤（台座、パレット、基礎板）に予め糸が通された針を３組以上セッティングしながらも、からまりの原因となる干渉の惹起を防止できることを示すものでもある。  本件モジュールを利用しているかいないかの違い、それが図８、図９、図１０、図１１、図１２、図１３、図１４、図１５、図１６（本考案）と、図３（従来物）の違いである。
【実施例４】
【００２３】  図１８図、１９図もそうであるが、図１は、さらに、ボタン、ホック、糸通し、安全ピン、マチ針、（予め糸が通されてはいない）予備の針や種類の異なる針、等々の道具を固定するためのスペースや、糸を切断するための小型カッターを組み込んだ場合についての、１実施例である。図１７は、図１の基盤（台座、パレット、基礎板）の平面図である。  図１、図１８図、１９図は、図８、図９、図１０、図１１、図１２、図１３、図１４、図１５、図１６のようなモジュールの単純増設型と比べれば、ソーイング・セットのカード型化に向いている。複数の基盤（台座、パレット、基礎板）から構成されていることが多い故、図１や図１８と比べれば、図８、図９、図１０、図１１、図１２、図１３、図１４、図１５、図１６は従来型のソーイング・セットをバージョン・アップするための新ツールに向いている。
【実施例５】
【００２４】  図１８は、図１（実施例４）の機能性を維持しながら、基盤（台座、パレット、基礎板）や収容ケースの短辺よりも長い針を用いる場合についての、１実施例である。
【実施例６】
【００２５】  図１９は、図１８と同様に基盤（台座、パレット、基礎板）や収容ケースの短辺よりも長い針を用いる場合についての、１実施例である。図１９と図１８との間の違いは、本件モジュールの原初型が利用されているか否か、にある。
【実施例７】
【００２６】  図２１、図２２、図２３もそうであるが、図２０は、引き出し化が可能な道具に関しては引き出し化し、引き出し化が不可能な道具に関しては引き出しをつけることで、実施例１のような基盤（台座、パレット、基礎板）を用いずにソーイング・セットの薄型（カード型）化を追求した場合についての、１実施例である。
【実施例８】
【００２７】  図２２、図２３もそうであるが、図２１は、図２０（実施例７）に本件モジュールを組み込んだ場合についての、１実施例である。
【実施例９】
【００２８】  図２４は、本件モジュールに予備の針と予備の糸を組み込んだ場合についての、従来型と本件の折中案のような１実施例である。
【実施例１０】
【００２９】  図２５は、簡易型ハード・ケース側は一種類であっても、（１）予め糸が通された針のセッティング可能数、針、糸以外のセッティング可能道具種類と相関する基盤（台座、パレット、基礎板）の形状、（２）針の種類、（３）糸の種類、この３点を変えただけで、多様なニーズに応じられる薄型（カード型）のソーイング・セットが提供できることを示している。
【実施例１１】
【００３０】  図２９、図３０もそうであるが、図２８は、コンビニエンスストアやネットカフェ等での緊急裁縫道具のレンタル・サービス（緊急裁縫道具のシェアリング）を提供する目的から、本件モジュールを大型化し且つ、糸巻きを回転型化した場合についての、１実施例である。
【産業上の利用可能性】
【００３１】  （１）からまりの原因となる干渉の惹起が防止できる、モジュール化された予め糸が通された針の固定装置（機構）、（２）それを用いた基盤（台座、パレット、基礎板）、（３）それに合わせたケースを量産する、これだけで従来の商品に付加価値を与えられる。【００３２】  さらに、簡易型ハード・ケース側は一種類であっても、（１）予め糸が通された針のセッティング可能数、針、糸以外のセッティング可能道具種類と相関する基盤（台座、パレット、基礎板）の形状、（２）針の種類、（３）糸の種類、この３点を変えるだけで、多様なニーズに応じられる薄型（カード型）のソーイング・セットが提供できる。【００３３】  本件モジュールを、大型化し、糸巻きを回転型にするなどすれば、それを設置したコンビニエンスストアやネットカフェ等における緊急裁縫道具のレンタル・サービス（緊急裁縫道具のシェアリング）が実現する。
【符号の説明】
【００３４】  １  針  ２  糸  ３  基盤（台座、パレット、基礎板）  ４  糸の先端と末端を固定するための切れ込み  ５  （針の固定位置から糸の先端と末端の固定位置までの距離の長さよりも長い糸、それを用いる場合にからまりを防ぐためには必要になる）糸を巻きつけながら固定するための仕掛け（＝糸巻き＝糸の干渉を防ぐための仕切りであり、二次元的である本件の場合は溝（窪み））  ６  針を固定するためスペース  ７  針を固定するための機構（装置）、例えば磁石  ８  針を固定するための機構（装置）、例えばゴム  ９  針を固定するための機構（装置）、例えば発泡素材  １０  針を固定するための機構（装置）、例えば粘着テープ  １１  針を固定するための機構（装置）、例えば立体形成された合成樹脂製の基盤（台座、パレット、基礎板）にもうけられた摩擦力でのみ固定できる大きさの穴、又は溝（窪み）  １２  針を固定するための機構（装置）、例えば軟質性合成樹脂と硬質性合成樹脂から構成される基盤（台座、パレット、基礎板）にもうけられた、摩擦力でのみ固定できる大きさの穴、又は溝（窪み）  １３  針を固定するための機構（装置）、例えば厚紙製の基盤（台座、パレット、基礎板）にもうけられた摩擦力でのみ固定できる大きさの穴、または溝（窪み）  １４  針を固定するための機構（装置）、例えば基盤（台座、パレット、基礎板）にもうけられた溝（窪み）及び、台座に巻きつけられた糸  １５  針を固定するための機構（装置）、例えば基盤（台座、パレット、基礎板）に貼りつけられたラバー、又はラバーのようなクッション性と吸着性を有する物質及び、台座に巻きつけられた糸  １６  ボタン、ホック、糸通し、安全ピン、はさみ、マチ針、（予め糸が通されてはいない）予備の針や種類の異なる針等々、針の長さに比べれば高さ（厚さ）が小さい道具を固定するためのスペース  １７  糸を切断するための小型カッター  １８  糸通し  １９  ホック  ２０  ボタン  ２１  はさみ  ２２  ライト  ２３  糸巻き  ２４  ボールペン（筆記具）  ２５  つまようじ  ２６  ピンセット  ２７  紐通し  ２８  耳かき  ２９  精密ドライバー  ３０  ナイフ  ３１  簡易型ハード・ケース  ３２  糸の固定に寄与するスリット
【手続補正４】
【補正対象書類名】図面
【補正対象項目名】図４
【補正方法】変更
【補正の内容】
【図４】
0003227202.tif 000034
【手続補正５】
【補正対象書類名】図面
【補正対象項目名】図５
【補正方法】変更
【補正の内容】
【図５】
0003227202.tif 000035
【手続補正６】
【補正対象書類名】図面
【補正対象項目名】図６
【補正方法】変更
【補正の内容】
【図６】
0003227202.tif 000036
【手続補正７】
【補正対象書類名】図面
【補正対象項目名】図７
【補正方法】変更
【補正の内容】
【図７】
0003227202.tif 000037
【手続補正８】
【補正対象書類名】図面
【補正対象項目名】図８
【補正方法】変更
【補正の内容】
【図８】
0003227202.tif 000038
【手続補正９】
【補正対象書類名】図面
【補正対象項目名】図９
【補正方法】変更
【補正の内容】
【図９】
0003227202.tif 000039
【手続補正１０】
【補正対象書類名】図面
【補正対象項目名】図１０
【補正方法】変更
【補正の内容】
【図１０】
0003227202.tif 000040
【手続補正１１】
【補正対象書類名】図面
【補正対象項目名】図２５
【補正方法】変更
【補正の内容】
【図２５】
0003227202.tif 000041
【手続補正１２】
【補正対象書類名】図面
【補正対象項目名】図２６
【補正方法】変更
【補正の内容】
【図２６】
0003227202.tif 000042
【手続補正１３】
【補正対象書類名】図面
【補正対象項目名】図２７
【補正方法】変更
【補正の内容】
【図２７】
0003227202.tif 000043
【手続補正１４】
【補正対象書類名】図面
【補正対象項目名】図２８
【補正方法】変更
【補正の内容】
【図２８】
0003227202.tif 000044
【手続補正１５】
【補正対象書類名】図面
【補正対象項目名】図２９
【補正方法】変更
【補正の内容】
【図２９】
0003227202.tif 000045
【手続補正１６】
【補正対象書類名】図面
【補正対象項目名】図３０
【補正方法】変更
【補正の内容】
【図３０】
0003227202.tif 000046
【手続補正書】
【提出日】令和2年1月20日(2020.1.20)
【手続補正１】
【補正対象書類名】実用新案登録請求の範囲
【補正対象項目名】全文
【補正方法】変更
【補正の内容】
【実用新案登録請求の範囲】
【請求項１】
ミシン及びステッチャーを除く、裁縫用の針と糸の２点以上から構成さるものとしてのソーイング・セットにおいて、
（１）縫製用の針、
（２）糸、
（３）糸巻き、
（４）前記の（３）にカッター（符号１７）が組み込まれている、糸巻き機能以外の機能を持っているという意味において糸巻きの範疇からはずれている糸巻き、
（５）前記の（３）又は（４）に、例えばボタン、例えばホック、例えば糸通し、例えば安全ピン、例えばはさみ、例えばマチ針、例えば予め糸が通されていない縫製用の針、例えば予め糸が通されている縫製用の針とは種類の異なる裁縫用の針、それら予め糸が通されている針の長さに比べれば薄い部類の裁縫用道具の内の１点以上を固定するためのスペース（符号１６）が、一枚の板状に並設されている、糸巻き機能以外の機能を持っているという意味において糸巻きの範疇からはずれている糸巻き、
前記の（１）（２）の２点が、予め縫製用の針に糸を通した状態にした上で、前記の（３）又は（４）又は（５）に巻回及び配置されていることを特徴とする、ソーイング・セット。
【請求項２】
ミシン及びステッチャーを除く、裁縫用の針と糸の２点以上から構成さるものとしてのソーイング・セットにおいて、
（１）予め糸が通された縫製用の針を固定するためスペース（符号６）、
（２）例えば磁石（符号７）、例えばゴム（符号８）、例えば発泡素材（符号９）、例えば粘着テープ（符号１０）、例えば立体形成された合成樹脂製の基盤の側にもうけられた摩擦力でのみ固定できる大きさの穴又は溝又は窪み（符号１１）、例えば軟質性合成樹脂と硬質性合成樹脂から構成される基盤の側にもうけられた摩擦力でのみ固定できる大きさの穴又は溝又は窪み（符号１２）、例えば厚紙製の基盤の側にもうけられた摩擦力でのみ固定できる大きさの穴又は溝又は窪み（符号１３）、例えば基盤の側にもうけられた溝又は窪み及び基盤に巻きつけられた糸（符号１４）、例えばラバー又はラバーのようなクッション性及び吸着性を有する物質及び基盤に巻きつけられた糸（符号１５）、これら９点の内の１点以上を手段とする、予め糸が通された裁縫用の針及びないし又は予め糸が通されていない裁縫用の針を整理しながら固定するための、作為的な工夫という意味における機構、
（３）回転型の糸巻きに巻かれた糸を用いるタイプの場合は先端用の１箇所のみでも十分機能し、９点示されている前記の（２）における作為的な工夫の選択如何によっては前記の（２）における作為的な工夫であるところのゴム（符号８）や粘着テープ（符号１０）を流用することができるものの、１例として糸と切れ込み（符号４）との間で発生する摩擦の利用が示されている、前記の（２）と隣接させた１箇所ないし２箇所の糸の先端及びないし又は末端を固定するための、作為的な工夫という意味における機構、
（４）１例として溝又は窪み（符号５）の利用が示されている、前記の（２）における作為的な工夫と隣接させた予め糸を通した縫製用の針の糸を巻回及びないし又は配置するための、作為的な工夫という意味における機構、
（５）前記の（１）（２）（３）（４）の４点を構成要素とすることによって、一枚の糸巻き機能を持つ基盤（符号３）に複数の予め糸を通した縫製用の針を巻回及び配置した際に縫製用の針に通された糸同士のからまりを防げることを特徴とする、糸巻き機能以外の機能を持っているという意味において糸巻きの範疇からはずれている糸巻きの最小単位、
（６）糸巻き、
（７）前記の（６）にカッター（符号１７）が組み込まれている、糸巻き機能以外の機能を持っているという意味において糸巻きの範疇からはずれている糸巻き、
（８）前記の（６）又は（７）に、例えばボタン、例えばホック、例えば糸通し、例えば安全ピン、例えばはさみ、例えばマチ針、例えば予め糸が通されていない縫製用の針、例えば予め糸が通されている縫製用の針とは種類の異なる裁縫用の針、それら予め糸が通されている針の長さに比べれば薄い部類の裁縫用道具の内の１点以上を固定するためのスペース（符号１６）が、一枚の板状に並設されている、糸巻き機能以外の機能を持っているという意味において糸巻きの範疇からはずれている糸巻き、
（１０）前記の（５）が板状に単純増設されている、糸巻き機能以外の機能を持っているという意味において糸巻きの範疇からはずれている糸巻き、
（１１）前記の（５）が前記の（６）又は（７）又は（８）に組み込みこまれている、糸巻き機能以外の機能を持っているという意味において糸巻きの範疇からはずれている糸巻き、
前記の（５）又は（９）又は（１０）又は（１１）に、予め糸が通された縫製用の針が巻回及び配置されていることを特徴とする、ソーイング・セット。
【請求項３】
ミシン及びステッチャーを除く、裁縫用の針と糸の２点以上から構成さるものとしてのソーイング・セットにおいて、形状をカード型にするために、
（１）請求項１及び請求項２がもたらし得るものの中の板状かつ長方形型とケース（符号３１）とを組み合わせる、
（２）予め糸が通されている針の長さに比べれば薄い部類の裁縫用道具それ自体を引き出し化し、さらにボタン又は予め糸が通されていない縫製用の針のように引き出し化の難しい予め糸が通されている針の長さに比べれば薄い部類の裁縫用道具についてはそれ用の引き出しを与える、
（３）前記の（２）に、請求項１及びないし又は請求項２を組み込む、
前記の（１）（２）（３）の３点の内のどれかを手段としていることを特徴とする、ソーイング・セット。
【手続補正２】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
0003227202.tif 000047
【図２】
0003227202.tif 000048
【図３】
0003227202.tif 000049
【図４】
0003227202.tif 000050
【図５】
0003227202.tif 000051
【図６】
0003227202.tif 000052
【図７】
0003227202.tif 000053
【図８】
0003227202.tif 000054
【図９】
0003227202.tif 000055
【図１０】
0003227202.tif 000056
【図１１】
0003227202.tif 000057
【図１２】
0003227202.tif 000058
【図１３】
0003227202.tif 000059
【図１４】
0003227202.tif 000060
【図１５】
0003227202.tif 000061
【図１６】
0003227202.tif 000062
【図１７】
0003227202.tif 000063
【図１８】
0003227202.tif 000064
【図１９】
0003227202.tif 000065
【図２０】
0003227202.tif 000066
【図２１】
0003227202.tif 000067
【図２２】
0003227202.tif 000068
【図２３】
0003227202.tif 000069
【図２４】
0003227202.tif 000070
【図２５】
0003227202.tif 000071
【図２６】
0003227202.tif 000072
【図２７】
0003227202.tif 000073
【図２８】
0003227202.tif 000074
【図２９】
0003227202.tif 000075
【図３０】
0003227202.tif 000076
【手続補正書】
【提出日】令和2年4月14日(2020.4.14)
【手続補正１】
【補正対象書類名】実用新案登録請求の範囲
【補正対象項目名】全文
【補正方法】変更
【補正の内容】
【実用新案登録請求の範囲】
【請求項１】
ミシン及びステッチャーを除く、裁縫用の針と糸の２点以上から構成さるものとしてのソーイング・セットにおいて、
（１）縫製用の針、
（２）糸、
（３）糸巻き、
（４）前記の（３）にカッター（符号１７）が組み込まれている、糸巻き機能以外の機能を持っているという意味において糸巻きの範疇からはずれている糸巻き、
（５）前記の（３）又は（４）に、例えばボタン、例えばホック、例えば糸通し、例えば安全ピン、例えばはさみ、例えばマチ針、例えば予め糸が通されていない縫製用の針、例えば予め糸が通されている縫製用の針とは種類の異なる裁縫用の針、それら予め糸が通されている針の長さに比べれば薄い部類の裁縫用道具の内の１点以上を固定するためのスペース（符号１６）が、一枚の板状に並設されている、糸巻き機能以外の機能を持っているという意味において糸巻きの範疇からはずれている糸巻き、
前記の（１）（２）の２点が、予め縫製用の針に糸を通した状態にした上で、前記の（３）又は（４）又は（５）に巻回及び配置されていることを特徴とする、ソーイング・セット。
【請求項２】
ミシン及びステッチャーを除く、裁縫用の針と糸の２点以上から構成さるものとしてのソーイング・セットにおいて、
（１）予め糸が通された縫製用の針を固定するためスペース（符号６）、
（２）例えば磁石（符号７）、例えばゴム（符号８）、例えば発泡素材（符号９）、例えば粘着テープ（符号１０）、例えば立体形成された合成樹脂製の基盤の側にもうけられた摩擦力でのみ固定できる大きさの穴又は溝又は窪み（符号１１）、例えば軟質性合成樹脂と硬質性合成樹脂から構成される基盤の側にもうけられた摩擦力でのみ固定できる大きさの穴又は溝又は窪み（符号１２）、例えば厚紙製の基盤の側にもうけられた摩擦力でのみ固定できる大きさの穴又は溝又は窪み（符号１３）、例えば基盤の側にもうけられた溝又は窪み及び基盤に巻きつけられた糸（符号１４）、例えばラバー又はラバーのようなクッション性及び吸着性を有する物質及び基盤に巻きつけられた糸（符号１５）、これら９点の内の１点以上を手段とする、予め糸が通された裁縫用の針及びないし又は予め糸が通されていない裁縫用の針を整理しながら固定するための、作為的な工夫という意味における機構、
（３）回転型の糸巻きに巻かれた糸を用いるタイプの場合は先端用の１箇所のみでも十分機能し、９点示されている前記の（２）における作為的な工夫の選択如何によっては前記の（２）における作為的な工夫であるところのゴム（符号８）や粘着テープ（符号１０）を流用することができるものの、１例として糸と切れ込み（符号４）との間で発生する摩擦の利用が示されている、前記の（２）と隣接させた１箇所ないし２箇所の糸の先端及びないし又は末端を固定するための、作為的な工夫という意味における機構、
（４）１例として溝又は窪み（符号５）の利用が示されている、前記の（２）における作為的な工夫と隣接させた予め糸を通した縫製用の針の糸を巻回及びないし又は配置するための、作為的な工夫という意味における機構、
（５）前記の（１）（２）（３）（４）の４点を構成要素とすることによって、一枚の糸巻き機能を持つ基盤（符号３）に複数の予め糸を通した縫製用の針を巻回及び配置した際に縫製用の針に通された糸同士のからまりを防げることを特徴とする、糸巻き機能以外の機能を持っているという意味において糸巻きの範疇からはずれている糸巻きの最小単位、
（６）糸巻き、
（７）前記の（６）にカッター（符号１７）が組み込まれている、糸巻き機能以外の機能を持っているという意味において糸巻きの範疇からはずれている糸巻き、
（８）前記の（６）又は（７）に、例えばボタン、例えばホック、例えば糸通し、例えば安全ピン、例えばはさみ、例えばマチ針、例えば予め糸が通されていない縫製用の針、例えば予め糸が通されている縫製用の針とは種類の異なる裁縫用の針、それら予め糸が通されている針の長さに比べれば薄い部類の裁縫用道具の内の１点以上を固定するためのスペース（符号１６）が、一枚の板状に並設されている、糸巻き機能以外の機能を持っているという意味において糸巻きの範疇からはずれている糸巻き、
（１０）前記の（５）が板状に単純増設されている、糸巻き機能以外の機能を持っているという意味において糸巻きの範疇からはずれている糸巻き、
（１１）前記の（５）が前記の（６）又は（７）又は（８）に組み込みこまれている、糸巻き機能以外の機能を持っているという意味において糸巻きの範疇からはずれている糸巻き、
前記の（５）又は（９）又は（１０）又は（１１）に、予め糸が通された縫製用の針が巻回及び配置されていることを特徴とする、ソーイング・セット。
【請求項３】
ミシン及びステッチャーを除く、裁縫用の針と糸の２点以上から構成さるものとしてのソーイング・セットにおいて、
（１）請求項１がもたらし得るものの中の板状かつ長方形型、又は請求項２がもたらし得るものの中の板状かつ長方形型と、ケース（符号３１）とを組み合わせる、
（２）予め糸が通されている針の長さに比べれば薄い部類の裁縫用道具それ自体を引き出し化し、さらにボタン又は予め糸が通されていない縫製用の針のように引き出し化の難しい予め糸が通されている針の長さに比べれば薄い部類の裁縫用道具についてはそれ用の引き出しを与える、
（３）前記の（２）に請求項１を組み込む、又は前記の（２）に請求項２を組み込む、
前記の（１）（２）（３）の３点の内のどれかを手段とすることによって、形状をカード型にしていることを特徴とする、ソーイング・セット。
【手続補正２】
【補正対象書類名】手続補正書
【補正対象項目名】手続補正４
【補正方法】削除
【補正の内容】
【手続補正３】
【補正対象書類名】手続補正書
【補正対象項目名】手続補正５
【補正方法】削除
【補正の内容】
【手続補正４】
【補正対象書類名】手続補正書
【補正対象項目名】手続補正６
【補正方法】削除
【補正の内容】
【手続補正５】
【補正対象書類名】手続補正書
【補正対象項目名】手続補正７
【補正方法】削除
【補正の内容】
【手続補正６】
【補正対象書類名】手続補正書
【補正対象項目名】手続補正８
【補正方法】削除
【補正の内容】
【手続補正７】
【補正対象書類名】手続補正書
【補正対象項目名】手続補正９
【補正方法】削除
【補正の内容】
【手続補正８】
【補正対象書類名】手続補正書
【補正対象項目名】手続補正１０
【補正方法】削除
【補正の内容】
【手続補正９】
【補正対象書類名】手続補正書
【補正対象項目名】手続補正１１
【補正方法】削除
【補正の内容】
【手続補正１０】
【補正対象書類名】手続補正書
【補正対象項目名】手続補正１２
【補正方法】削除
【補正の内容】
【手続補正１１】
【補正対象書類名】手続補正書
【補正対象項目名】手続補正１３
【補正方法】削除
【補正の内容】
【手続補正１２】
【補正対象書類名】手続補正書
【補正対象項目名】手続補正１４
【補正方法】削除
【補正の内容】
【手続補正１３】
【補正対象書類名】手続補正書
【補正対象項目名】手続補正１５
【補正方法】削除
【補正の内容】
【手続補正１４】
【補正対象書類名】手続補正書
【補正対象項目名】手続補正１６
【補正方法】削除
【補正の内容】